(57)【要約】 【課題】コンクリートの品質や全体工期に影響を与えることなく堰板解体床から堰板設置床への堰板の移動を迅速に行う。【解決手段】本発明に係る自昇式型枠装置１は、堰板解体床２、支保工設置床３、堰板設置床４及びＰＣストランド巻回作業床５の各層を下から順に積層してあり、全体を上昇させながらコンクリート躯体７を下方から順次構築できるようになっている。堰板解体床２は、堰板１３を解体するための作業スペースとなっているが、該堰板解体床には、解体された堰板１３を載置可能な荷揚げステージ２１を延設してあり、その水平床面位置が堰板設置床４及び支保工設置床３の各最外縁より外側となるように構成してある。荷揚げステージ２１は、その床面上に載置された堰板１３を堰板設置床４及び支保工設置床３と干渉することなくスムーズに吊り上げることができるように、跳出し長さ及び幅並びに設置位置を適宜決定する。【選択図】  図１
2011032814.tif 000002
【特許請求の範囲】
【請求項１】
堰板を建て込むための作業スペースである堰板設置床と該堰板設置床の下方に配置され前記堰板の背面に配置される支保工が設置された支保工設置床と該支保工設置床の下方に配置され前記堰板を解体するための作業スペースである堰板解体床とを備えるとともに、鋼管・コンクリート複合構造を構成する鋼管及びコンクリート躯体のうち、鋼管の頂部に設置された反力架台から吊り下げられた引張材に反力をとることで全体を上昇させながら前記コンクリート躯体を下方から順次構築可能になっている自昇式型枠装置において、
荷揚げステージを、少なくともその一部の水平床面位置が前記堰板設置床及び前記支保工設置床の各最外縁より外側となるように前記堰板解体床に延設したことを特徴とする自昇式型枠装置。
【請求項２】
鋼管・コンクリート複合構造を構成する鋼管及びコンクリート躯体のうち、鋼管の頂部に設置された反力架台から吊り下げられた引張材に反力をとることで自昇式型枠装置を上昇させながら、前記コンクリート躯体を下方から順次構築するとともに、前記自昇式型枠装置に備えられた堰板設置床で堰板を建て込み、該堰板設置床の下方に配置された支保工設置床において前記堰板の背面に支保工を配置し、該支保工設置床の下方に配置された堰板解体床において前記堰板を解体し、該堰板解体床で解体された堰板を前記堰板設置床に移動した後、該移動された堰板を前記堰板設置床で再び建て込む堰板の盛替え方法において、
前記堰板解体床で解体された堰板を、少なくとも一部の水平床面位置が前記堰板設置床及び前記支保工設置床の各最外縁より外側となるように前記堰板解体床から延設されてなる荷揚げステージに水平移動し、該荷揚げステージ上に水平移動された堰板をクレーンで前記堰板設置床の高さ以上に吊り上げ、吊持された堰板を該吊持状態のまま堰板が設置される水平位置まで水平移動した後、堰板を吊り降ろして前記堰板設置床での堰板の建込みを行うことを特徴とする堰板の盛替え方法。
【請求項３】
前記堰板を解体する際、隣接する堰板同士を相互に連結したまま堰板群として解体し、該堰板群を搬送台車に載せて前記荷揚げステージまで水平移動する請求項２記載の堰板の盛替え方法。
【請求項４】
前記支保工設置床を構成する構造材に滑車を取り付けるとともに該滑車に前記堰板群を吊持することにより、該堰板群の解体及び前記搬送台車への載置を行う請求項３記載の堰板の盛替え方法。
【発明の詳細な説明】
【技術分野】
【０００１】
本発明は、主として鋼管・コンクリート複合構造の型枠工事に適用される自昇式型枠装置及びそれを用いた堰板の盛替え方法に関する。
【背景技術】
【０００２】
橋脚等の塔状構造物を構築する際、通常の鉄筋コンクリート（以下、ＲＣ）構造では、その高さが高くなればなるほど、配筋作業や型枠の組立及び解体に時間や手間がかかるため、ＲＣ構造に代えて、鋼管・コンクリート複合構造が採用されることも少なくない。
【０００３】
かかる鋼管・コンクリート複合構造を構築するにあたっては、まず、鋼管を先行して立設するとともに、該鋼管頂部に設置された反力架台から作業足場と型枠とが一体化された型枠装置を吊持ワイヤーで吊り降ろし、しかる後、吊持ワイヤーが挿通されたセンターホールジャッキを駆動することで該吊持ワイヤーから反力をとって型枠装置を上昇させつつ、配筋、ＰＣストランドの巻付け、型枠設置及びコンクリート打設という一連の工程をリフトと呼ばれる所定の高さ単位ごと、例えば１．８ｍ程度ごとに繰り返し行う。
【０００４】
このようにすることで、先行立設された鋼管の周囲にコンクリート躯体を下方から効率よく構築していくことができるとともに、鋼管による耐震性の向上を図ることも可能となる。
【０００５】
また、型枠設置に関しては、堰板を滑動させずに順次上方へ盛り替えながらコンクリートを打設していくジャンプアップ工法（ジャンピング工法）が知られており、堰板を上方に滑動させながらコンクリートを打設するスリップフォーム工法に比べ、良好なコンクリートを形成することが可能である。
【０００６】
ここで、型枠設置、打設されたコンクリートの圧力支保、同じくその養生、型枠解体といった一連の工程は、上述したようにリフト単位で行われるため、各リフトで同時進行する工程は互いに異なる。
【０００７】
そのため、鋼管・コンクリート複合構造を構築する際に用いられる型枠装置は、ＰＣストランド巻付け機を走行自在に設置するためのＰＣストランド設置床と、型枠を構成する堰板を建て込むための作業スペースである堰板設置床と、堰板とともに型枠を構成する支保工を堰板の背面に設置する支保工設置床と、堰板を解体するための作業スペースである堰板解体床とを上から順に配したいわば重層構造あるいは多段構造になっている。
【０００８】
このような型枠装置の重層化あるいは多段化により、異なる工程がリフトごとに同時進行していても、これらを互いに干渉させることなく効率よく処理することが可能となる。
【先行技術文献】
【特許文献】
【０００９】
【特許文献１】特許第２５９１４２２号公報
【特許文献２】特許第２５３６３９５号公報
【特許文献３】特開２００１−３２５２２号公報
【発明の概要】
【発明が解決しようとする課題】
【００１０】
しかしながら、ジャンプアップ工法は上述したように堰板を順次上方へ盛り替えていくものであるところ、型枠装置が重層構造であるため、堰板解体床で解体された堰板を堰板設置床まで鉛直移動するには、時間と手間がかかるという問題を生じていた。
【００１１】
すなわち、塔状構造物が矩形状断面である場合、従来の型枠装置においては、センターホールジャッキが設置される側方位置を避けて、コーナー位置に小運搬用の昇降機を設け、該昇降機を用いて堰板を堰板解体床から堰板設置床に鉛直移動させていたが、盛替え対象となる平板状の堰板は主として矩形状断面の直線部に数多く建て込まれるため、解体された堰板をコーナー位置まで水平移動させるだけでも多くの手間と時間がかかる。
【００１２】
加えて、上述した小運搬用の昇降機は、自昇式型枠装置に設けられるものであるとともに設置場所がコーナー位置であるため、規模を小さくせざるを得ない。そのため、堰板を最小単位まで解体しなければならないという問題や、最小単位に解体された大量の堰板を鉛直移動するには、小運搬用の昇降機を何度も往復させねばならないという問題も生じていた。
【００１３】
さらに、堰板の移動に時間がかかると、ケレンや清掃といった作業に時間を割くことが難しくなるため、実際に使用されている分とは別に、１リフト分の堰板を別途用意しなければならないという問題も生じていた。
【００１４】
かかる問題を回避すべく、堰板解体床においてコンクリート面から剥離された堰板を直上に吊り上げることで堰板設置床まで最短距離で鉛直移動し、該堰板設置床でそのまま建て込む方法も採用されてはいるが（特許文献３）、かかる方法においては、吊上げ作業に支障が出ないよう、支保工設置床において堰板背面に配置された支保工を一時的に撤去しなければならないため、コンクリートの品質確保と工期短縮との両立が難しくなる。
【課題を解決するための手段】
【００１５】
本発明は、上述した事情を考慮してなされたもので、コンクリートの品質や全体工期に影響を与えることなく、堰板解体床から堰板設置床への堰板の移動を迅速に行うことが可能な自昇式型枠装置及びそれを用いた堰板の盛替え方法を提供することを目的とする。
【００１６】
上記目的を達成するため、本発明に係る自昇式型枠装置は請求項１に記載したように、堰板を建て込むための作業スペースである堰板設置床と該堰板設置床の下方に配置され前記堰板の背面に配置される支保工が設置された支保工設置床と該支保工設置床の下方に配置され前記堰板を解体するための作業スペースである堰板解体床とを備えるとともに、鋼管・コンクリート複合構造を構成する鋼管及びコンクリート躯体のうち、鋼管の頂部に設置された反力架台から吊り下げられた引張材に反力をとることで全体を上昇させながら前記コンクリート躯体を下方から順次構築可能になっている自昇式型枠装置において、
荷揚げステージを、少なくともその一部の水平床面位置が前記堰板設置床及び前記支保工設置床の各最外縁より外側となるように前記堰板解体床に延設したものである。
【００１７】
また、本発明に係る堰板の盛替え方法は請求項２に記載したように、鋼管・コンクリート複合構造を構成する鋼管及びコンクリート躯体のうち、鋼管の頂部に設置された反力架台から吊り下げられた引張材に反力をとることで自昇式型枠装置を上昇させながら、前記コンクリート躯体を下方から順次構築するとともに、前記自昇式型枠装置に備えられた堰板設置床で堰板を建て込み、該堰板設置床の下方に配置された支保工設置床において前記堰板の背面に支保工を配置し、該支保工設置床の下方に配置された堰板解体床において前記堰板を解体し、該堰板解体床で解体された堰板を前記堰板設置床に移動した後、該移動された堰板を前記堰板設置床で再び建て込む堰板の盛替え方法において、
前記堰板解体床で解体された堰板を、少なくとも一部の水平床面位置が前記堰板設置床及び前記支保工設置床の各最外縁より外側となるように前記堰板解体床から延設されてなる荷揚げステージに水平移動し、該荷揚げステージ上に水平移動された堰板をクレーンで前記堰板設置床の高さ以上に吊り上げ、吊持された堰板を該吊持状態のまま堰板が設置される水平位置まで水平移動した後、堰板を吊り降ろして前記堰板設置床での堰板の建込みを行うものである。
【００１８】
また、本発明に係る自昇式型枠装置を用いた堰板の盛替え方法は、前記堰板を解体する際、隣接する堰板同士を相互に連結したまま堰板群として解体し、該堰板群を搬送台車に載せて前記荷揚げステージまで水平移動するものである。
【００１９】
また、本発明に係る自昇式型枠装置を用いた堰板の盛替え方法は、前記支保工設置床を構成する構造材に滑車を取り付けるとともに該滑車に前記堰板群を吊持することにより、該堰板群の解体及び前記搬送台車への載置を行うものである。
【００２０】
本発明に係る自昇式型枠装置及びそれを用いた堰板の盛替え方法においては、自昇式型枠装置に備えられた堰板設置床で堰板を建て込み、該堰板設置床の下方に配置された支保工設置床において堰板の背面に支保工を配置し、該支保工設置床の下方に配置された堰板解体床において堰板を解体し、該堰板解体床で解体された堰板を堰板設置床に移動した後、該移動された堰板を堰板設置床で再び建て込むという手順で堰板の盛替えを行うが、かかる盛替えを行うにあたっては、堰板解体床で解体された堰板を、該堰板解体床から延設されてなる荷揚げステージに水平移動する。
【００２１】
型枠装置は上述したように、下から順に堰板解体床、支保工設置床、堰板設置床が積層されてなり、従来であれば、支保工設置床や堰板設置床が邪魔になって、堰板解体床の床面に載置された堰板を直接吊り上げることはできない。
【００２２】
そのため、従来においては、矩形平面形状をなす型枠装置のコーナー位置に設けられた小運搬用の昇降機を用いて堰板を鉛直移動していたが、昇降機の移動能力が十分ではなかったり堰板解体床での移動距離が長くなる等の理由により、堰板の盛替え効率が悪かった。
【００２３】
本出願人はこの点に鑑みて検討を行ったが、昇降機の設置場所をコーナー部から直線部に変更した上、その規模を大きくしようとしても、型枠装置の直線部には通常、センターホールジャッキが据え付けられているため、その場所に重ねて昇降機を設けることは難しい。
【００２４】
そこで、下層階であるがゆえに空頭制限があってクレーンでの吊上げが本来的に不可能な堰板解体床であっても、その床面上の堰板を吊り上げることができないかに着眼した結果、上述した発明をなしたものである。
【００２５】
すなわち、本発明に係る荷揚げステージは、少なくともその一部の水平床面位置が堰板設置床及び支保工設置床の各最外縁より外側となるように、堰板解体床に延設してある。
【００２６】
このようにすると、荷揚げステージは、鉛直断面で見れば、支保工設置床や堰板設置床の最外縁から水平に跳ね出す形となり、かくして床面上に載置された堰板をクレーンで自在に吊り上げることが可能となる。
【００２７】
堰板解体床で解体された堰板を、該堰板解体床から延設されてなる荷揚げステージに水平移動したならば、次に、荷揚げステージ上に水平移動された堰板をクレーンで堰板設置床の高さ以上に吊り上げる。
【００２８】
次に、吊持された堰板を該吊持状態のまま堰板が設置される水平位置まで水平移動し、次いで堰板を吊り降ろして堰板設置床での堰板の建込みを行う。
【００２９】
このようにすれば、解体された堰板を堰板解体床から堰板設置床に効率よく鉛直移動することが可能となる。
【００３０】
型枠装置は、堰板解体床、支保工設置床及び堰板設置床が下から順に積層されてなる重層構造であるが、かかる３つの作業床がこの順序で配置されている限り、別の作業床を含むかどうかは任意であるとともに、３つの作業床の間に別の作業床が介在する場合を排除するものでもない。
【００３１】
例えば、ＰＣストランド巻付け機が旋回自在に設置してなるＰＣストランド巻回作業床を堰板設置床の上方に配置してもよい。
【００３２】
また、各作業床を複数段構成とすることも可能であり、例えば支保工設置床を二段構成としてもかまわない。
【００３３】
堰板は、従来と同様に最小単位まで解体してもかまわないが、隣接する堰板同士を相互に連結したまま堰板群として解体し、該堰板群を搬送台車に載せて荷揚げステージまで水平移動するようにすれば、堰板の盛替え効率がさらに向上する。
【００３４】
また、堰板群として解体する際、支保工設置床を構成する構造材に滑車を取り付けるとともに、該滑車に堰板群を吊持することで、該堰板群の解体及び搬送台車への載置を行うようにすれば、単独ではなく連結状態であっても、堰板の吊り降ろし及び水平移動を容易に行うことが可能となる。
【図面の簡単な説明】
【００３５】
【図１】本実施形態に係る自昇式型枠装置の鉛直断面図。
【図２】Ａ−Ａ線に沿う水平断面図であり、堰板解体床２の平面図。
【図３】Ｂ−Ｂ線に沿う水平断面図であり、支保工設置床３の平面図。
【図４】本実施形態に係る堰板の盛替え方法を実施している様子を示した鉛直断面図。
【発明を実施するための形態】
【００３６】
以下、本発明に係る自昇式型枠装置及びそれを用いた堰板の盛替え方法の実施の形態について、添付図面を参照して説明する。なお、従来技術と実質的に同一の部品等については同一の符号を付してその説明を省略する。
【００３７】
図１は、本実施形態に係る自昇式型枠装置を示した鉛直断面図、図２及び図３は、同じく水平断面図である。これらの図でわかるように、本実施形態に係る自昇式型枠装置１は、従来同様、多層構造になっており、堰板解体床２、支保工設置床３、堰板設置床４及びＰＣストランド巻回作業床５の各層を下から順に積層して構成してあるとともに、鋼管・コンクリート複合構造８を構成する鋼管６の頂部に設置された反力架台（図示せず）から吊り下げられた引張材であるワイヤーロープ９に反力をとることで、全体を上昇させながら鋼管・コンクリート複合構造８を構成するコンクリート躯体７を下方から順次構築できるようになっている。
【００３８】
最上層に配置されたＰＣストランド巻回作業床５には、ＰＣストランド巻付け機１０を旋回自在に設置してあり、該巻付け機から繰り出されたＰＣストランド１１を鉄筋１２の周囲に巻き付けることができるようになっている。
【００３９】
堰板設置床４は、ＰＣストランド巻回作業床５の下方に配置され、クレーンで吊り込まれた堰板１３を所定位置に建て込んで保持する作業を行うことができるようになっている。
【００４０】
支保工設置床３は、堰板設置床４の下方に配置され、堰板１３の背面に配置される支保工１４を設置してある。支保工設置床３は、上段に配置された支保工設置上段床３ａと下段に配置された支保工設置下段床３ｂとからなり、支保工設置上段床３ａには支保工１４の主要部分が設置され、支保工設置床３ｂには、支保工１４の下弦材に連結されたローラー１５を配置してあり、装置全体を上昇させるときにコンクリート面との接触が防止されるようになっている。
【００４１】
堰板解体床２は、支保工設置床３の下方に配置され、堰板１３を解体するための作業スペースとなっている。
【００４２】
堰板解体床２には、解体された堰板１３を載置可能な荷揚げステージ２１を延設してあるとともに、該荷揚げステージを、その水平床面位置が堰板設置床４及び支保工設置床３の各最外縁より外側となるように、換言すれば堰板設置床４及び支保工設置床３の最外縁から水平に跳ね出すように構成してある。
【００４３】
荷揚げステージ２１は、その床面上に載置された堰板１３を堰板設置床４及び支保工設置床３と干渉することなくスムーズに吊り上げることができるように、その跳ね出し長さ（奥行き）及び幅、並びに設置位置を適宜決定する。
【００４４】
特に、支保工設置床３には図３でよくわかるように、ワイヤーロープ９が挿通されるセンターホールジャッキ３１を、該ジャッキが据え付けられる据付フレーム３２とともに、矩形状をなす堰板解体床２の各直線部に２ヶ所、計８ヶ所に設置してあるので、これらセンターホールジャッキ３１及びその据付フレーム３２と干渉しないようにする。
【００４５】
荷揚げステージ２１は、堰板解体床２の直線部のうち、昇降階段が設置される側、図２では下側を除いた三ヶ所に延設してある。
【００４６】
荷揚げステージ２１は、堰板解体床２とできるだけ段差ができないように構成するのが望ましい。
【００４７】
本実施形態に係る自昇式型枠装置１を用いて堰板１３の盛替えを行うには、まず、堰板解体床２で堰板１３を解体する。
【００４８】
堰板１３は、最小単位で解体するのではなく、隣接するもの同士が相互に連結された堰板群としてコンクリート面から剥離解体する。例えば、縦配置で横３列、縦２列に相互連結された計６枚の堰板１３を堰板群として解体する。
【００４９】
ここで、堰板１３を単体ではなく堰板群として解体する場合、堰板単体の大きさを９００ｍｍ×６００ｍｍとすると、堰板群の大きさは、１，８００ｍｍ×１，８００ｍｍになるとともに、それに応じて自重も単体の２５ｋｇから１５０ｋｇと増加する。
【００５０】
そのため、図４に示すように、支保工１４の下弦材に定滑車４１を取り付け、該定滑車とそれに組み合わされる動滑車４２とで、堰板解体床２に対応するリフト位置のコンクリート面に配置されている堰板１３を堰板群として吊り上げつつ、該コンクリート面から剥離解体する。定滑車４１に掛けたロープを引く作業は、支保工設置下段床３ｂで適宜行えばよい。
【００５１】
堰板１３は、堰板解体床２の床面に直接吊り降ろすのではなく、同図に示すように搬送台車４３の上に載置し、次いで、搬送台車４３に載せた堰板１３をその状態で荷揚げステージ２１まで水平移動する。
【００５２】
搬送台車４３は、台車本体に走行車輪を取り付けてなり、該台車本体に形成された溝に堰板１３の縁部を落とし込むことで、堰板１３の荷重を支持しながら水平移動することができるようになっている。
【００５３】
堰板１３を搬送台車４３で水平移動する際は、堰板１３が堰板群として例えば、１，８００ｍｍ×１，８００ｍｍの大きさになっているため、これを立てた状態、つまりコンクリート面から剥離解体されたままの状態で台車本体の溝に落とし込み、次いで、横方向に倒れないように例えば２人の作業員で支えながら水平移動するようにすればよい。
【００５４】
堰板１３を荷揚げステージ２１まで水平移動したならば、次に、堰板１３を荷揚げステージ２１からクレーンで吊り上げ、ＰＣストランド巻回作業床５の上を越えて水平移動させた後、これを吊り降ろし、堰板設置床４を作業スペースとして堰板１３を建て込む。
【００５５】
堰板１３を建て込むにあたっては、クレーンで吊り降ろされた状態、すなわち単体ではなく、互いに連結された堰板群として建て込めばよい。
【００５６】
以上説明したように、本実施形態に係る自昇式型枠装置１及びそれを用いた堰板の盛替え方法によれば、荷揚げステージ２１を、その水平床面位置が堰板設置床４及び支保工設置床３の各最外縁より外側となるように、堰板解体床２に延設したので、荷揚げステージ２１は、鉛直断面で見れば、支保工設置床３や堰板設置床４の最外縁から水平に跳ね出す形となる。
【００５７】
そのため、荷揚げステージ２１の床面に載置された堰板１３をクレーンで自在に吊り上げることが可能となり、解体された堰板１３を堰板解体床２から堰板設置床４に効率よく鉛直移動することができるとともに、その結果、堰板１３の盛替え効率が格段に向上する。
【００５８】
また、支保工設置床３に設置されたセンターホールジャッキ３１と干渉しないように荷揚げステージ２１の跳ね出し長さや幅を設定することにより、矩形平面状をなす堰板解体床２の直線部に荷揚げステージ２１を配置することが可能となり、コンクリート躯体７の直線部に配置された堰板１３の水平移動距離が大幅に短縮され、堰板１３の盛替え効率はさらに向上する。
【００５９】
また、本実施形態に係る自昇式型枠装置１を用いた堰板の盛替え方法によれば、隣接する堰板１３同士を相互に連結したまま堰板群として解体し、該堰板群を搬送台車４３に載せて荷揚げステージ２１まで水平移動するようにしたので、堰板１３を最小単位で解体搬送する場合に比べ、堰板１３の移動効率ひいては盛替え効率がさらに向上する。
【００６０】
また、本実施形態に係る自昇式型枠装置１を用いた堰板の盛替え方法によれば、堰板１３を堰板群として解体する際、支保工１４の下弦材に定滑車４１を取り付け、該定滑車とそれに組み合わされる動滑車４２とで、堰板１３を堰板群として吊り上げつつ、該コンクリート面から剥離解体するようにしたので、単独ではなく連結状態であっても、堰板１３の吊り降ろし及び水平移動を容易に行うことが可能となる。
【００６１】
また、本実施形態に係る自昇式型枠装置１を用いた堰板の盛替え方法によれば、堰板１３を単体ではなく互いに連結された状態で複数枚で解体するとともに、これを荷揚げステージ２１に移動した後、同様に一括吊上げするようにしたので、他の工程との関係では十分な余裕時間が生じ、その間、ケレンや清掃あるいは剥離剤塗布といった作業に時間を割くことが可能となる。
【００６２】
そのため、堰板１３は、実際に建て込まれている分だけで足りることとなり、従前のように、１リフト分の堰板を別途用意する必要がなくなる。
【００６３】
本実施形態では、搬送台車４３を用いて堰板１３をそれらが相互に連結された状態で水平移動するようにしたが、場合によっては搬送台車４３を使用せずに手作業で荷揚げステージ２１まで運ぶようにしてもかまわない。
【００６４】
また、本実施形態では、堰板１３を最小単位ではなく互いに連結された堰板群の状態で解体するようにしたが、場合によっては定滑車４１及び動滑車４２を省略し、従前通り、最小単位で解体するようにしてもかまわない。
【００６５】
これらの構成においては、実施形態記載の構成ほど迅速な堰板移動はできないが、荷揚げステージ２１を設けたことによる作用効果は、上述した実施形態と何ら変わるものではない。
【符号の説明】
【００６６】
１    自昇式型枠装置
２    堰板解体床
３    支保工設置床
４    堰板設置床
６    鋼管
７    コンクリート躯体
８    鋼管・コンクリート複合構造
９    ワイヤーロープ（引張材）
１３    堰板
１４    支保工
２１    荷揚げステージ
４１    定滑車（滑車）
４２    動滑車（滑車）
４３    搬送台車
【図１】
2011032814.tif 000003
【図２】
2011032814.tif 000004
【図３】
2011032814.tif 000005
【図４】
2011032814.tif 000006